(57)【要約】【課題】  高さ調節用の治具を挿通するための作業孔を床パネルに正確に且つ容易に穿孔することができ、また施行後の再度の高さ調節を可能とし、支持ボルト取付位置を任意にかつ容易に変更でき、しかも床パネル施行後にその上に薄手の仕上げ材を設けることが可能な二重床構造を提供する。【解決手段】  二重床が床パネルとそれを下方から支承する支持具とからなる構造であり、該支持具が、少なくとも、床パネルの高さを変更自在とする支持ボルトと、床基盤に配置されて支持ボルトを支承する基台と、支持ボルトの上端部に設けられ床パネルを支える嵌合台座とから構成され、上記嵌合台座に、上記支持ボルトが挿通される貫通孔が設けられ、該貫通孔上方から、基台に支承された支持ボルトを回転させることで、嵌合台座上面と床基盤との距離が変更可能とされ、上記床パネル上面の上記支持ボルトの仮想延長線が交差する点に窪みが設けられている。【選択図】  図９
2006118343.tif 000002
【特許請求の範囲】
【請求項１】
床基盤上に空間を空けて設置される二重床構造であって、二重床が床パネルとそれを下方から支承する支持具とからなる構造であり、該支持具が、少なくとも、床パネルの高さを変更自在とする支持ボルトと、床基盤に配置されて支持ボルトを支承する基台と、支持ボルトの上端部に設けられ床パネルを支える嵌合台座とから構成され、上記嵌合台座に、上記支持ボルトが挿通される貫通孔が設けられ、該貫通孔上方から、基台に支承された支持ボルトを回転させることで、嵌合台座上面と床基盤との距離が変更可能とされ、上記床パネル上面の上記支持ボルトの仮想延長線が交差する点に窪みが設けられていることを特徴とする二重床構造。
【請求項２】
上記嵌合台座の上部に複数の柱状突起が突設され、上記床パネルは木質系材料が混合された熱可塑性樹脂をプレス成形した成形品であって、その下面に格子状リブが突設されてそのリブにより複数の凹部が形成され、該柱状突起が凹部に嵌め込まれることを特徴とする請求項１記載の二重床構造。
【請求項３】
上記嵌合台座の上部に複数の柱状突起が突設され、上記床パネルは無機系材料が混合された熱可塑性樹脂をプレス成形した成形品であって、その下面に格子状リブが突設されてそのリブにより複数の凹部が形成され、該柱状突起が凹部に嵌め込まれることを特徴とする請求項１記載の二重床構造。
【請求項４】
床基盤の必要な個所に上記支持具を配置し、それぞれの支持具の嵌合台座上に必要な数の上記床パネルを載せて嵌合し、支持具が配置された位置にある窪み位置にを中心として床パネルに作業孔を穿孔し、作業孔位置に露頭している支持ボルトの頭部を回転させて嵌合台座の高さ調節を行って床パネル上面の床基盤からの高さを揃え、高さ調節後、支持ボルトを回転しないように固定して床パネルの高さを固定し床パネル上面の作業孔に蓋をすることを特徴とする請求項１もしくは２記載の二重床の施工方法。
【請求項５】
上記支持ボルトを回転しないように固定する方法が、上記支持ボルト下端部を基台に設けられた受穴に挿入し、支持ボルト頭部に、嵌合台座を支持する鍔を設けられた鍔つきナットを螺嵌し、その長ナットにニップルを螺入してそのニップルで支持ボルト頭部を圧接する方法であることを特徴とする請求項４記載の二重床の施工方法。
【発明の詳細な説明】
【技術分野】
【０００１】
本発明は、オフィス、集合住宅等において、床基盤上に空隙を介して床パネルを設置し、空隙に配線、配管等が敷設される二重床構造及び二重床の施工方法に関する。
【背景技術】
【０００２】
従来より、床基盤上にボルト手段を設け、このボルト手段を支柱としボルト手段と蝶合するナット手段を床パネル嵌合台座に設けて、床パネル嵌合台座の高さ調整を床パネル嵌合台座上から行うことができるようにした床パネルの支持装置上に、床パネルを施工する二重床構造及び二重床の施工方法が知られている。
【０００３】
例えば、床パネル嵌合台座上に設けた開口部に回転用治具を挿入することによりボルト手段を回転し、床パネル嵌合台座の床基盤からの高さ調整を行う。さらに、ボルト手段と開口部に空隙を設け、ボルト手段上端の凹部と前記の空隙に接着剤を充填することにより、繰り返し荷重によるボルト手段とナット手段間の緩みをなくしている床板支持装置が知られている（例えば、特許文献１参照。）。
【０００４】
また、二重床構造においては支持脚を嵌合固定する方法が存在する。例えば、少なくとも格子状の複数の貫通孔部を有する床パネルに、床パネル支持用の段部を有する支持脚を、該貫通孔部の任意の個所に脱着可能に嵌合固定する二重床構造が知られている（例えば、特許文献２参照。）。
【特許文献１】実開平７−３５６３２
【特許文献２】実開平５−８９６８１
【発明の開示】
【発明が解決しようとする課題】
【０００５】
特許文献１の手法においては、床基盤上に設けた配管・配線等の干渉を避け、床パネルの中央部に支持脚を設置した際、床パネル上面に高さ調整及び接着剤挿入用の孔が設けられる。この手法では、支持脚を設置した位置を床パネル上面から目視確認することができない上、パネル上面に墨出しした後に孔を開ける必要があり、施工が煩雑となる。
【０００６】
また、ホールソーやドリル等の穿孔工具で孔開けする際には、孔を開ける中心点が定まらずに、穿孔具の錐先端が滑って不必要にパネルを傷つけてしまい、思わぬ強度低下を招くといった課題がある。
【０００７】
更に、施工後のリフォーム、間取り変更を行う際、支持脚の高さが接着剤で固定されており、支持脚の位置変更が不可能なため、新たな部材が必要となるという課題がある。
【０００８】
特許文献２においては、支持脚の位置決めを容易に行うことができ、施工が容易となり、配管配線の移動の際に床パネルを脱着し易い等の利点があるが、支柱と床パネル支持盤が一体となった支持脚においては、支持脚に高さ調整機能が具備されておらず、施工する床高さに応じて複数種類の支持脚を必要とし、床基盤の細かな不陸に対応することは困難であった。
【０００９】
更に、文献２の図３には、パネル上面に開口部を有した床パネルが提示されているが、上面に開口部を有したパネルにおいては、カーペットのような薄手の仕上げ材を直接床パネルに敷設できないという課題を有している。
【００１０】
本発明は、床基盤に不陸があって高さ調節を行う際に、高さ調節用の治具を挿通するための作業孔を床パネルに正確に且つ容易に穿孔することができ、また施行後の再度の高さ調節を可能とし、支持ボルト取付位置を任意にかつ容易に変更でき、しかも床パネル施行後にその上に薄手の仕上げ材を設けることが可能な二重床構造及び二重床施工方法を提供することを目的としてなされたものである。
【課題を解決するための手段】
【００１１】
請求項１に記載の二重床構造（発明１）は、  床基盤上に空間を空けて設置される二重床構造であって、二重床が床パネルとそれを下方から支承する支持具とからなる構造であり、該支持具が、少なくとも、床パネルの高さを変更自在とする支持ボルトと、床基盤に配置されて支持ボルトを支承する基台と、支持ボルトの上端部に設けられ床パネルを支える嵌合台座とから構成され、上記嵌合台座に、上記支持ボルトが挿通される貫通孔が設けられ、該貫通孔上方から、基台に支承された支持ボルトを回転させることで、嵌合台座上面と床基盤との距離が変更可能とされ、上記床パネル上面の上記支持ボルトの仮想延長線が交差する点に窪みが設けられていることを特徴とする。
【００１２】
請求項２記載の発明（発明２）は、上記嵌合台座の上部に複数の柱状突起が突設され、上記床パネルが木質系材料が混合された熱可塑性樹脂をプレス成形した成形品であって、その下面に格子状リブが突設されてそのリブにより複数の凹部が形成され、該柱状突起が凹部に嵌め込まれることを特徴とする発明１の二重床構造である。
【００１３】
請求項３記載の発明（発明３）は、上記嵌合台座の上部に複数の柱状突起が突設され、上記床パネルは無機系材料が混合された熱可塑性樹脂をプレス成形した成形品であって、その下面に格子状リブが突設されてそのリブにより複数の凹部が形成され、該柱状突起が凹部に嵌め込まれることを特徴とする発明１の二重床構造である。
【００１４】
請求項４記載の二重床の施工方法は（発明４）は、床基盤の必要な個所に上記支持具を配置し、それぞれの支持具の嵌合台座上に必要な数の上記床パネルを載せて嵌合し、支持具が配置された位置にある窪み位置にを中心として床パネルに作業孔を穿孔し、作業孔位置に露頭している支持ボルトの頭部を回転させて嵌合台座の高さ調節を行って床パネル上面の床基盤からの高さを揃え、高さ調節後、支持ボルトを回転しないように固定して床パネルの高さを固定し、床パネル上面の作業孔に蓋をすることを特徴とする。
【００１５】
発明１の二重床構造は、床パネルとこれを床基盤上に空間を空けて支持し且つ床基盤との高さを調節可能な支持具とからなる。発明４は、この床パネルと支持具とを用いて、床基盤上に二重床を施工する方法である。
【００１６】
発明１の二重床構造に好ましく用いられる支持具は、床基盤上に載置される基台と、基台上に、基台と相対的に回転可能に立設される支持ボルトと、ボルト上端部に設けられて床パネルを挿脱自在に支持する矩形の嵌合台座とからなる。
【００１７】
基台は、床基盤上に設けられる二重床を支える土台に相当する。従って、床基盤上で動くことなくかつ強度が必要である。その材質は特に限定されないが、例えば一例として、天然又は合成ゴム、発泡樹脂等の弾性体からなる成形品；ステンレススチール、鉄等金属類；木材；木材片を樹脂等で圧密させた木質系複合材；コンクリート、セメント、セメント発泡体等の無機系材料；繊維強化合成樹脂（ＦＲＰ）類；熱可塑性合成樹脂又は熱硬化性合成樹脂に無機系充填材等を混合した無機系複合材；ＦＲＰと珪砂等を混合したレジンコンクリート（ＦＲＰＭ）類等が挙げられる。
【００１８】
例えば、ゴム成形品等であれば、床施行後に掛かる荷重でゴム製基台自体が床基盤面に圧接されて摩擦により移動し難く、かつ基台自体が防振の効果を有するので、好都合である。なお、基台は、単に床基盤上に載置されているだけでも良いが、床基盤にビス等で固定できるようにされていると、確実に固定できる。
【００１９】
金属板等を加工した基台では、防振材を介して床基盤上に配置されても良い。この場合であれば床の振動を良く防止できる。防振材は、一般的な防振ゴムであれば良く、その使用方法も一般的な方法で良い。
【００２０】
基台には支持ボルトが回転可能に立設される。例えば一例として、基台上部に、支持ボルトの下端部の雄ねじに螺合する雌ねじ、又は下端部の雄ねじをなくした支持ボルト下端部が回転可能に挿入可能な穴を設けたフレーム部として、この穴に支持ボルトを螺入又は挿入する構造等が挙げられる。
【００２１】
雌ねじ部を固定したフレーム部の場合であれば、基台を床基盤上に載置した後支持ボルトを回せば、支持ボルトが基台のフレーム内を上下に移動し、支持ボルトに接続された嵌合台座の床基盤面からの距離が変更できる。
【００２２】
また、下端部の雄ねじを除いた支持ボルトの下端部を、上記基台の穴に挿入したものであれば、支持ボルト上端部の雄ねじ部に、嵌合台座を受ける嵌合台座受け用の鍔を設けた長ナットをねじ込み、嵌合台座を回転しないように押さえながら支持ボルトを回転させると嵌合台座が上下方向に移動し、嵌合台座の床基盤面からの距離が変更できる。
【００２３】
支持ボルトは、その上部に嵌合台座及び更にその上に床パネルを支える機能と、嵌合台座の床基盤面からの高さを調節する機能とを有する。従って、強度と耐食性とが要求され、例えば一例として、鉄、防食鉄、ステンレススチール、真鍮、銅等の耐食性のある金属棒が挙げられる。
【００２４】
支持ボルトの頭部は、支持ボルトを回転させる回転用治具のアダプターが掛かる形状とされている。例えば、回転用治具のアダプターが、＋又は−形状のドライバー、六角レンチ、スパナ、ナット回し等の形状であれば、それに適合した刻り込みや形状を有するボルト頭とされれば良い。
【００２５】
嵌合台座は、その上面に床パネルが載せられてこれを支持する。この時、嵌合台座と床パネルとが、施行後に荷重が掛かったり人が移動したりして位置ズレを起こさないよう、また、二重床施工時に床パネルの位置が動かないようにするために、嵌合台座上面に柱状突起（凸部）が設けられ、床パネル下面にこれに嵌合する凹部が設けられている。嵌合台座上面に設けられる凸部は、複数個あっても良い。複数個ある場合は、床パネルの下面に設けられる凹部の一つに、複数の凸部全部が嵌り込んでも良く、その一部が嵌り込んで残りの凸部が隣の凹部に嵌り込むようにされていても良い。
【００２６】
嵌合台座の床基盤面からの高さは、支持ボルトを回転させることで変化させる。従ってその上に載せられている床パネルの高さも変化する。支持ボルトの回転によって高さを変化させる構造は特に限定されないが、例えば一例として、基台部に設けられた雌ねじに支持ボルトの下端部がねじ込まれた支持ボルトの場合では、支持ボルト頭部にワッシャー等を嵌め込みそのワッシャーの上方に支持ボルト頭部が突出する構造とされれば良い。この構造の場合では、基台を動かないように押さえて支持ボルトを回転させると、基台のナットに螺号した支持ボルトが上下方向に移動し、支持ボルト上端部に取り付けられた嵌合台座が上下方向に移動する。
【００２７】
支持ボルトの下端部を基台の穴に挿入したものであれば、支持ボルトの上端部に嵌合台座を受ける嵌合台座受け用の鍔を設けた長ナットをねじ込み、嵌合台座にこの長ナットが挿通される貫通孔を設けて、鍔部が嵌合台座を受けるようにされる構造とされれば、長ナットが回転しないように押さえて支持ボルトを回転させると長ナットが上下方向に移動し、長ナットの鍔部に受けられた嵌合台座が上下方向に移動する。
【００２８】
雄ねじを取り除いた支持ボルトの下端部を基台の穴に挿入した場合では、嵌合台座には嵌合台座下方から鍔付き長ナットが嵌め込まれる貫通孔が穿孔される。その管通孔の上方側は、前述の回転用治具のアダプターが挿入可能な大きさに拡径されていても良い。
【００２９】
又、基台に雌ねじを固定しその雌ねじに支持ボルトの雄ねじをねじ込んだ場合には、支持ボルトの嵌合台座下面の貫通孔位置に、支持ボルトが挿通される貫通孔が穿孔された固定板が固定されても良い。この場合では、支持ボルト頭部にワッシャーを嵌め込みそのワッシャの上に嵌合台座を載せると、ワッシャーの上面に固定板の下面が載る構造となる。
【００３０】
発明１の床パネルは通常の床用の材料であれば特に限定されない。例えば一例として、木材、木材チップ、木材粉等を熱可塑性合成樹脂又は熱硬化性合成樹脂等で圧密させた木質系複合材；熱可塑性合成樹脂又は熱硬化性合成樹脂に無機系充填材等を混合した無機系複合材等、プレス成形によって成形品表面に窪みを形成できる材料の中から、床パネルの使用場所や目的に応じて適宜選択して用いられれば良い。
【００３１】
発明２および３の床パネルでは、床パネルの下面には、嵌合台座と挿脱可能に嵌め合わせられる矩形の凹部が複数個設けられる。床パネル下面の凹部は、床パネルの下面に格子状に複数の凸条を設け、該凸条によって複数の凹部となるようにして形成される。
【００３２】
下面の凹部位置に相当する床パネルの上面には、支持具に設けられる支持ボルトの仮想延長線が交差する交点に、窪みが設けられている。嵌合台座の貫通孔には、支持ボルトがその軸同士を略同じとして挿通されているので、床パネルの上面に設けられるこの交点の窪みは、この下方に貫通孔がありその貫通孔内に支持ボルトの頭部があることを示すものとなる。
【００３３】
従って、この窪みを中心にして床パネルを穿孔すれば、穿孔された孔は、嵌合台座の貫通孔位置と一致するから、床パネル上方から支持ボルトの頭部が見える状態となる。それ故、床パネルの上から、支持ボルト頭部に支持ボルトを回転するための回転用治具のアダプター（図示せず）を挿入可能となる。
【００３４】
床パネルに形成される凹部の形状が嵌合台座の形状と同じであれば、嵌合台座を床パネル下に嵌め合わせた時に、嵌合台座の上面が直接床パネルの下面に接触する。床基盤面に不陸があれば、それに応じて適切な位置に支持具を配置して嵌合台座の高さを調節し、二重床の上面を平にすることが可能となる。
【００３５】
或いは、上記嵌合台座の辺縁から内側位置の四隅にそれぞれ凸部を設け、それぞれの凸部の外面を結ぶ仮想外周面が矩形となるようしておき、床パネル下面の周辺部に沿って複数の矩形の凸条を設け、該凸条によって複数の矩形の凹部を形成し、嵌合台座に設けられた上記嵌合台座の矩形凸部の仮想外周面を挿脱可能に嵌め込めるようにしても良い。この場合であれば、嵌合台座を床パネル下に嵌め合わせた時に、床パネルの下面は嵌合台座の凸部上面に接触し、嵌合台座の上面は床パネルの下面に設けられる凸条の下面に接触する状態となる。
【００３６】
更に、嵌合台座上面に設ける凸部を、１辺の長さが対応する嵌合台座凹部の辺の長さの約１／２以下の矩形とし、床パネルの裏面に設けられる矩形凹部をこれに嵌め合わせ可能な大きさとしておけば、嵌合台座を床パネルの辺部又は角部に持ってきても、凹部と凸部とが嵌め合わせ可能となるので、更に不陸に対応し易くなる。
【００３７】
床パネルの上面に設けられる窪みは、上記貫通孔位置において深さ０．２ｍｍ以上となるようにされている。０．２ｍｍ以上であれば、床パネルの高さ調節を行うために床パネルの支持ボルト位置を穿孔する場合、穿孔個所を容易に確認でき、且つ例えばドリルやホールソーの穿孔工具の刃物先端を窪み中央に当てれば、穿孔作業中にドリル等の先端がぶれないので穿孔加工の精度が高くなり、不必要に床パネル上面を傷つけることがない。
【００３８】
下面の凹部位置に相当する床パネルの裏面には、支持ボルトが挿通される嵌合台座の貫通孔円周の仮想延長線が交差する部位に、その円周に沿った円形の溝が設けられ、円形溝の中心に相当する床パネル上面の表面に、窪みが設けられていても良い。
【００３９】
床パネルは、その円形溝部においても床材として所要の強度が必要とされると共に、ハンマー等で叩くことで容易に破壊されればさらに穿孔作業が容易になる。そのために、例えば床パネルの材料として、樹脂材料に充填材を複合使用し、剛性があり滑溝部においては脆性発現するようにされると良い。
【００４０】
充填材としては、例えば一例として、木材の破砕片、木粉等木材由来材料；炭酸カルシウム、珪砂、石膏、珪酸ガラスバルーン、フライアッシュ、コンクリートやアスファルト廃材等無機系材料の粉砕品等が挙げられる。又、樹脂としては、塩化ビニル系樹脂、ポリエチレン、ポリプロピレン、ポリエステル樹脂、軟質又は硬質ゴム等の熱可塑性樹脂類；エポキシ樹脂、ウレタン樹脂等の熱硬化性樹脂類等が挙げられる。
【００４１】
充填材と樹脂との混合割合は、充填材と樹脂とのそれぞれの種類により、適宜変更されればよい。例えば一例として、充填材が木質系材料であり熱可塑性樹脂がポリエチレンである場合は、充填材混合量を５０〜７０重量％程度とされる。それぞれの材料は、加熱混合機に投入され、加熱溶融されて混合される。溶融された混合物は、プレス成型機の金型内に投入され、加圧冷却されてプレス成型する方法など、一般的な方法で床パネルに成型されれば良い。
【００４２】
発明４の二重床施工方法は、上記床パネルと支持具とを用いて床基盤上に空間を空けて二重床を構成する発明１の二重床を施工方法である。この方法で二重床を施工する手順は、床パネルを、敷設後の形状となるように床基盤上の所定の位置に配列する。次いで、床基盤の不陸に対応して高さを調節する必要がある位置に支持具を配置し、必要に応じて基台を床基盤面に木ねじ等で固定する。
【００４３】
支持ボルトを基台に装着し、支持ボルトの頭部を嵌合台座に設けられた貫通孔に挿通して、貫通孔の上方から支持ボルトを回転可能とする。嵌合台座又は嵌合台座上面の凸部を、床パネル下面の凹部に嵌め込んで載せ、支持ボルトが配置された位置にある窪みを中心として床パネルに作業孔を穿孔し、嵌合台座に開けられた貫通孔を露出させる。
【００４４】
その作業孔には、嵌合台座の貫通孔内に挿通されている支持ボルトの頭部が露出しているので、その作業孔から回転用治具のアダプターを入れてボルトを回転し、嵌合台座の床基盤からの高さ調節を行う。高さ調節の後、支持ボルトの頭端が貫通構内に突出している場合は、別の押さえねじを支持ボルト頭部からねじ込んで螺結し、ダブルナットとして支持ボルトが回転しないように固定して、床基盤上から床パネル上面までの高さを固定する。
【００４５】
又は、支持ボルトの頭端が止め輪付き長ナットの中にある場合は、ニップル状の押さえボルト（押さえねじともいう。）を長ナットの中にねじ込んで、押さえボルトで支持ボルト頭部を圧接して支持ボルトが回転しないように固定し、嵌合台座の床基盤上から床パネル上面までの高さを固定する。
【００４６】
このようにして、全ての床パネルの高さを調節して固定したら、床パネル上面の作業孔にキャップを嵌め込んで蓋をし、二重床の施工が完了する。キャップは、上面仕上げに材として薄手の仕上げ材を用い、かつ開けた穴が約１５ｍｍ程度以上大きい場合にのみ用いられれば良い。その後、必要に応じてカーペットや床材等の上面仕上げ材を施せば良い。床パネルの上面には、小さな窪みと少数のキャップとしかないので、仮にカーペット等の上面仕上げ材が薄くても、直接床パネル上に敷設が可能となる。
【発明の効果】
【００４７】
発明１の二重床構造においては、床パネルの高さを自在に変更でき、かつその高さを固定できる支持具で床パネルを支承するので、床基盤に多少の不陸があっても、二重床の上面を平にすることができる。床パネル上面には、支持具の支持ボルトの軸の仮想延長線上に、窪みが設けられているので、その窪みに先行具の切っ先を当てて床パネルに穿孔すれば、切っ先がぶれることなく穿孔でき、しかも開けられた孔には支持ボルトの頭部が露出する。従ってその孔から支持ボルトを回すだけで床パネルの高さを変えることが容易かつ正確にできる。
【００４８】
床パネル上面の窪みにより、床パネル上面から高さ調節を行うために床パネルに孔を開ける作業が容易である。例えば、ホールソー等の工具による孔開け作業においては、孔開け位置の中心が定められていることにより、容易にかつ正確に必要な穿孔ができ、加工精度が高くなり、不必要にパネルを傷つけることがない。即ち、施工に不必要な作業孔を設けることがない為、仕上げ材としてカーペット等を床パネルに直接敷設する際にも、その作業孔をうめるキャップ等の部材を最低限に抑えることができるので、床パネル施行後にその上に薄手の仕上げ材を設けることが可能な床パネルとなる。
【００４９】
発明２および３においては、嵌合台座上面の柱状突起（凸部）と、床パネル下面に複数のリブによって設けられた凹部とが嵌り込むので、施工中又は施行後の床パネルが安定して動かず、振動などで動かない安定した二重床の構造となる。
【００５０】
加えて、発明２では、床パネルは木質系材料が混合された熱可塑性樹脂をプレス成形した成形品であるので、熱可塑性樹脂だけのものに比べ木工機械による加工がしやすく、穿孔が楽になる。また、床パネルに木ねじや釘等が入りやすいので、施工が楽である。
【００５１】
また、発明３では、床パネルは無機系材料が混合された熱可塑性樹脂をプレス成形した成形品であるので、床パネルの剛性が向上する上に、床パネルの比重が大きくなることにより遮音性能が向上し、階下に音が伝わりにくくなる。さらに、この床パネルは剛性があり脆性を発現するものであるので、床パネルに形成した円形溝部においてハンマー等で叩くことで容易に破壊され穿孔作業が容易になる。
【００５２】
また、発明４の二重床の施工方法においては、嵌合台座に設けられたナット手段に螺合されたボルト手段を、床パネルに開けた穴の上部から、回転用治具を用いて高さ調節作業を行うことができるので、床パネルの高さ調整が容易でかつ任意の高さにすることができる。高さ調整後、高さを固定するので、調整した高さは施工後も代わらない。
【発明を実施するための最良の形態】
【００５３】
以下、本発明の一実施例について図面を参照にして説明する。図１は床パネル構造の一例を、構成部品に分解した断面図である。図２は床パネルの別の一例の断面図である。図３は床パネル構造の更に別の一例の断面図である。図４は床パネルの一例の下面側から見た平面図である。図５は嵌合台座の一例の斜視図である。図６は床パネルの一例を上面から見た平面図である。図７は床パネルの窪み部の一例の断面図である。図８は図１の床パネルに穿孔して支持具と床パネルとを組み立てた一例の断面図である。図９は図３の床パネルに穿孔して支持具と床パネルとを組み立てた一例の断面図である。
【００５４】
図１に示される床パネル１は、床パネル２と、床パネル２を床基盤Ｆ上に支持し、かつ床基盤Ｆとの高さを調節可能な支持具３とからなる。支持具３は、床基盤Ｆ上に配置される基台３１と、基台３１に回転可能に立設される支持ボルト３２と、支持ボルト３２上に載置される嵌合台座３３とからなる。
【００５５】
基台３１は、内周面が雌ねじ３１３とされた基台フレーム部３１２が固定部３１１上に、例えば基台３１が鉄等であれば溶接等で固定されている。固定部３１１はビス孔が設けられ、必要に応じて床基盤Ｆ上に木ねじ等で脱着可能に固定されても良い。
【００５６】
支持ボルト３２は基台３１に回転可能に立設されている。即ち、支持ボルト３２の下部は上記基台３１の雌ねじ３１３にねじ込まれている。支持ボルト３２の頭部３２１に段が設けられ、段の上部は下部よりも細くされている。その段部には、ワッシャー３２２が装着されている。
【００５７】
基台３１の固定部３１１を木ねじ等で床基盤Ｆに脱着可能に固定し、支持ボルト３２をフレーム部３１２の雌ねじ部３１３にねじ込んで、支持ボルト３２を回せば、支持ボルト３２は上下に雌ねじ３１３によって上下に移動する。
【００５８】
支持ボルト３２は、その上部に嵌合台座３３及び更にその上に床パネル２を支える。支持ボルト３２の頭部３２１は、支持ボルト３２を回転させる回転用治具のアダプター（図示せず）が掛かる形状とされている。本例においては、マイナスドラーバーによって回転可能な一文字溝が刻まれている。更に、支持ボルト頭部３２１にはワッシャー３２２等が嵌め込まれてボルト頭部３２１に設けられた前述の段に掛かって止まり、ワッシャー３２２の上方に上記支持ボルト頭部３２１が突出するようにされている。
【００５９】
嵌合台座３３には、前述の回転用治具のアダプター（図示せず）が挿入可能な大きさの貫通孔３３２が設けられ、嵌合台座３３下面の貫通孔３３２位置に支持ボルト３２の頭部３２１が挿通される孔が穿孔された固定板３３１が固定される。それ故、支持ボルト３２の上に嵌合台座３３を載せると、上記ワッシャー３２２の上面に固定板３３１の下面が載る構造となる。
【００６０】
図２の床パネル１は、支持ボルト３２を回転して、嵌合台座３３の床基盤Ｆからの高さを変更可能にする別の一例である。この支持具３は、支持ボルト３２の下端部が球状凸部とされ、基台３１上にこれを受ける球状凹部が設けられて、この凸部と凹部が嵌り合って、いわゆるボールジョイントとして支持ボルトが基台上に連結されている。基台３１は、必要に応じて固定部３１１で床基盤Ｆに木ねじ等で脱着可能に固定される。
【００６１】
嵌合台座３３には、回転用治具のアダプター（図示せず）は挿入可能な大きさの貫通孔３３２が設けられ、貫通孔３３２に上記支持ボルトを螺合する止めナット３３３が固定されている。支持ボルト３２の上端がこの止めナット３３３にねじ込まれて挿通され、頭部３２１が嵌合台座３３に設けられた貫通孔３３２内に上方に突き出されている。
【００６２】
突き出された支持ボルト３２の上端部に固定板３３１が装着され、更にその上に押さえねじ３２３がねじ込まれるようになっている。この構造によれば、基台３１を床基盤Ｆ上配置し、嵌合台座３３の貫通孔３３２内に突出している支持ボルト３２の頭部３２１を回転させると、嵌合台座３３は止めナット３３３の螺旋によって上下に移動し、床基盤Ｆからの高さを変更できる。
【００６３】
高さが変更されたら、貫通孔３３２の上方から押さえねじ３２３を支持ボルトの頭部３２１にねじ込んで螺結し、固定板３３１を止めナット３３３上面と押さえねじ３２３のけめんとで挟み込んで圧接し、ダブルナットとして床基盤上Ｆから床パネル２上面までの高さを固定できる。
【００６４】
図３の床パネル１は、更に別の一例であり、床パネル２と、床パネル２を床基盤Ｆ上に支持し、かつ床基盤Ｆとの高さを調節可能な支持具３とからなる。支持具３は、床基盤Ｆ上に配置される基台３１と、基台３１に回転可能に立設される支持ボルト３２と、支持ボルト３２上に載置される嵌合台座３３とからなる。
【００６５】
本例の基台３１は断面台形の合成ゴムの成形品であり、その上面に、支持ボルト３２の下端部が回転可能に挿入される支持ボルト挿入用の受穴３１５が設けられている。基台３１がゴム製であるので、床基盤上Ｆに基台３１を置くだけで、摩擦により基台３１は移動したり回転したりしない。
【００６６】
支持ボルト３２は、下方に鍔部３２４が設けられ、基台に設けられた受穴３１５に支持ボルト３１の下端部が挿入された時に、穴の奥まで支持ボルトが嵌り込まないようにされている。それ故、鍔部３２４の下面は基台３１上面の支持ボルト挿入穴３１５の周囲近傍部と接触するが、支持ボルト３２が回転された場合に摩擦を減らしてスムースに回転できるようにたり、基台３１が変形しないようにするために、例えば金属板等（図示せず）を介して接触するようにされていても良い。
【００６７】
支持ボルト３２の頭部３２１は、ナット中央位置に鍔部３２５１が設けられた鍔つきナット３２５にねじ込まれている。この鍔つきナットは、嵌合台座３３に設けられた貫通孔３３２に下方から挿入されて、その鍔部３２５１が該台座３３の下面に接触してこれを支える。
【００６８】
貫通孔３３２に挿入された鍔つきナット３２５は回転用治具のアダプター（図示せず）により支持ボルト３２が回転された時に、支持ボルト３２と共に連れ回いしてはならない。従って、鍔つきナット３２１の外径は、鍔部３２５１近傍が両端部よりわずかに太くされ、鍔つきナット３２５を貫通孔３３２に挿入した時に貫通孔３３２内面に強く圧接し、摩擦により鍔つきナット３２５と嵌合台座３３とが相互に回転しなくなる程度とされていることが好ましい。
【００６９】
支持ボルト３２の頭部３２１には、回転用治具のアダプター（図示せず）により支持ボルトを回転することができるように、回転用治具のアダプター（図示せず）が係止可能な形状とされている。例えば、本例では回転用治具アダプター（図示せず）がマイナスドライバーの場合に適用できるように、マイナス形状の切り込みが設けられている。
【００７０】
回転用治具のアダプター（図示せず）で支持ボルト３２を一転し、嵌合台座３３が所定の高さになったら、鍔つきナット３２５の上方から弛み止めねじ３２６を螺入し、支持ボルト３２の頭部３２１に強く圧接させる。こうすることで、ダブルナットにより鍔つきナットと支持ボルトとが緩まず、高さが固定される。
【００７１】
図４は、床パネル２を下方から見た平面図である。平板状床パネル２の下面には、嵌合台座３３と挿脱可能に嵌め合わせられる矩形の凹部２２が複数個設けられる。この矩形の凹部２２は、床パネル２の下面に格子状に複数の凸条２３を設け、該凸条２３によって複数の矩形の凹部２２となるようにして形成される。
【００７２】
床パネル２の下面に形成される凹部２２の形状が、嵌合台座３３の形状と同じであれば、嵌合台座３３を床パネル２下の凹部２２に嵌め合わせた時に、嵌合台座３３の上面が直接床パネル２の下面に接触する。床基盤面Ｆに不陸があれば、それに応じて適切な位置に支持具３を配置して嵌合台座３３の高さを調節し、二重床の上面を平にすることが可能となる。
【００７３】
或いは、図５のように、嵌合台座３３の辺縁から内側位置の四隅にそれぞれ凸部３３４を設け、それぞれの凸部３３４の外面を結ぶ仮想外周面が矩形となるようしておき、床パネル２の下面の周辺部に沿って設けられる複数の矩形の凹部２２を、嵌合台座に設けられた上記嵌合台座３３の矩形凸部３３４の仮想外周面と同じ形状としておいても良い。この場合であれば、嵌合台座３３を床パネル２下面の凹部２２に嵌め合わせた時に、床パネル２の下面は嵌合台座３３の凸部３３４上面に接触し、嵌合台座３３の上面は床パネル２の下面に設けられる凸条２３の下面に接触する状態となる。
【００７４】
また、嵌合台座３３上面に設ける凸部３３４を、１辺の長さが嵌合台座３３の対応する辺の長さの約１／２以下の矩形とし、床パネル２の裏面に設けられる矩形凹部２２を、図４の床パネルの下面平面図の角又は辺の凹部２２のように、これに嵌め合わせ可能な大きさとしておけば、嵌合台座３３を床パネル２の辺部又は角部に持ってきても、凹部２２と凸部３３４とが嵌め合わせ可能となるので、更に不陸に対応し易くなる。
【００７５】
図６に示されるように、床パネル２の上面には、嵌合台座３３に設けられる貫通孔３３２の軸の仮想延長線が交差する交点に、窪み２１が設けられている。嵌合台座３３の貫通孔３３２には、支持ボルト３２が、その軸同士を略同じとして挿通されているので、床パネル２の上面に設けられるこの交点の窪み２１は、この下方に支持ボルト３２があることを示すものとなる。従って、この窪み２１を中心にして床パネル２を穿孔すれば、穿孔された孔は嵌合台座３３の貫通孔３３２に到達し、床パネル上方２から支持ボルト３２の頭部３２１が見える状態となる。それ故、床パネル２の上から、支持ボルト頭部３２１に支持ボルト３２を回転するための回転用治具のアダプター（図示せず）を挿入可能となる。
【００７６】
図７は、床パネル２の窪み２１部の一例の断面図である。床パネル２の上面に設けられる窪み２１は、上記貫通孔３３２の軸の仮想延長線上の位置において、深さ０．２ｍｍ以上となるようにされている。この窪み２１は、穿孔の必要がなければそのまま残されて床パネル２の表面にそのまま残る。従って、あまり深いと、施行後の二重床表面の上を、例えば薄いカーペット等を敷設する時に施工できない等の不具合が起こる可能性があるので、窪み２１の深さは床パネル２の厚さ以下とされることが好ましい。
【００７７】
また、床パネル２の窪み２１部の裏面側に、貫通孔３３２の直径と略同じ直径の円形溝を刻み、その中心に窪み２１を設けるようにされても良い。上記円形溝の深さは、溝部においても床としての強度が必要であり、この個所をハンマー等で叩いた時（後述）に、床パネル２が円形溝の形状に沿って損壊して孔が開くことが必要であるので、床の材料によっても異なるが、通常は床厚さの１／２〜１／１０程度とされると良い。
【００７８】
この場合では、ハンマー等で直接窪み２１部分を叩くことで、床パネル２が上記円形溝に沿って損壊し、同溝の形状に沿った貫通孔２４が形成され、嵌合台座３３の貫通孔３３２が上方に露出するので、孔２４を穿孔する労力が大幅に軽減される。
【００７９】
図８は、図１の床パネルを用いて床基盤上に空間を空けて二重床を構成する二重床施工における床パネルの組立構造の一例である。
【００８０】
二重床を施工する手順は、先ず床パネル２を、敷設後の形状となるように床基盤上Ｆの所定の位置に配列する。次いで、床基盤Ｆの不陸に対応して高さを調節する必要がある位置に支持具３を配置し、必要に応じて基台３１を床基盤面Ｆに木ねじ等で固定する。
【００８１】
支持ボルト３２を基台３１にねじ込んで装着し、支持ボルト３２の頭部３２１を嵌合台座３３の貫通孔３３２に挿通して、ワッシャー３２２の上に嵌合台座３３に固定した固定板３３１を載せ、嵌合台座３３を支持ボルト３２上に載せる。
【００８２】
嵌合台座３３又は嵌合台座上面の凸部３３４を、床パネル２下面の凹部２２に嵌め込んで載せ、支持ボルト３２が配置された位置にある窪み２１を中心として床パネル２を穿孔して嵌合台座３３に開けられた貫通孔３３２を露出させる。
【００８３】
その管通孔３３２から回転用治具のアダプター（図示せず）を入れて支持ボルト３２を回転し、嵌合台座３３の床基盤Ｆ上からの高さ調節を行い、高さ調節の後、別の押さえねじ３２３をボルト頭部３２１からねじ込んで螺結し、嵌合台座３３の固定板３３１を支持ボルト頭部３２１のワッシャー３２２上面に圧接して、ダブルナットとして床基盤上Ｆから床パネル２上面までの高さを固定する。
【００８４】
図９は図３の床パネルを用いて床基盤上に空間を空けて二重床を構成する二重床施工における床パネルの組立構造の一例である。
【００８５】
二重床を施工する手順は、先ず床パネル２を、敷設後の形状となるように床基盤上Ｆの所定の位置に配列する。次いで、床基盤Ｆの不陸に対応して高さを調節する必要がある位置に支持具３を配置する。
【００８６】
支持ボルト３２を基台３１に挿し込んで装着し、支持ボルト３２の頭部３２１を嵌合台座３３の貫通孔３３２に挿通した鍔つきナット３２５にねじ込む。鍔つきナット３２５は、嵌合台座３３を鍔３２５１で支持している。
【００８７】
嵌合台座上面の凸部３３４を、床パネル２下面の凹部２２に嵌め込んで載せ、支持ボルト３２が配置された位置にある窪み２１を中心として床パネル２を穿孔して嵌合台座３３に開けられた貫通孔３３２を露出させる。
【００８８】
その管通孔３３２から回転用治具のアダプター（図示せず）を入れて支持ボルト３２を回転し、嵌合台座３３の床基盤Ｆ上からの高さ調節を行い、高さ調節の後、別の押さえねじ３２３を鍔つきナット３２５の上方からねじ込み、支持ボルト３２の頭部３２１に強く圧接するようにねじ込み、ダブルナットとして床基盤上Ｆから床パネル２上面までの高さを固定する。
【００８９】
このようにして、全ての床パネル１の高さを調節して固定したら、床パネル２上面の穿孔部２４にキャップ（図示せず）を嵌め込んで蓋をし、二重床の施工が完了する。その後、必要に応じてカーペット等の上面仕上げ材を施せば良い。床パネルの上面には、小さな窪みと少数のキャップとしかないので、仮にカーペット等の上面仕上げ材が薄くても、直接床パネル１上に敷設が可能となる。
【図面の簡単な説明】
【００９０】
【図１】床パネルの一例を、構成部品に分解した断面図である。
【図２】床パネルの別の一例の断面図である。
【図３】床パネルの更に別の一例の断面図である。
【図４】床パネルの一例の下面側から見た平面図である。
【図５】嵌合台座の一例の斜視図である。
【図６】床パネルの一例を上面から見た平面図である。
【図７】床パネルの窪み部の一例の断面図である。
【図８】図１の床パネルに穿孔して支持具と床パネルとを組み立てた一例の断面図である。
【図９】図３の床パネルに穿孔して支持具と床パネルとを組み立てた一例の断面図である。
【符号の説明】
【００９１】
１  床パネル
２  床パネル
２１  窪み
２２  下面の凹部
２３  凸条
２４  貫通孔
３  支持具
３１  基台
３１１  基台の固定部
３１２  基台のフレーム部
３１３  雌ねじ
３１４  防振材（防振ゴム）
３１５  支持ボルト挿入穴（受穴）
３２  支持ボルト
３２１ ボルト頭部
３２２  ワッシャー
３２３  押さえねじ
３２４ ボルトの鍔部
３２５  鍔つきナット
３２５１  ナットの鍔
３２６  弛み止めねじ
３３  嵌合台座
３３１  固定板
３３２  貫通孔
３３３  止めナット
３３４  上面の凸部
３３５  円形溝
Ｆ  床基盤
【図１】
2006118343.tif 000003
【図２】
2006118343.tif 000004
【図３】
2006118343.tif 000005
【図４】
2006118343.tif 000006
【図５】
2006118343.tif 000007
【図６】
2006118343.tif 000008
【図７】
2006118343.tif 000009
【図８】
2006118343.tif 000010
【図９】
2006118343.tif 000011